(57)【要約】【課題】  本発明は部品点数が少なく、効率よく組み立てることができるとともに、モータの発熱を効率よく放熱することができる、安価に製造することができる送風機を得るにある。【解決手段】  部に空気導入口が形成され、周壁に排出口が形成された羽根車収納室を有するケース体と、このケース体の羽根車収納室内に回転可能に取付けられた前記空気導入口より空気を吸引し、前記排出口より排出することができる羽根車と、前記ケース体に取付けられ、回転部材に前記羽根車が固定された流体動圧軸受を用いたモータとからなる送風機において、前記羽根車を固定するモータの回転部材を、該羽根車と一体形成して送風機を構成している。【選択図】  図３
2007154754.tif 000002
【特許請求の範囲】
【請求項１】
上部に空気導入口が形成され、周壁に排出口が形成された羽根車収納室を有するケース体と、このケース体の羽根車収納室内に回転可能に取付けられた前記空気導入口より空気を吸引し、前記排出口より排出することができる羽根車と、前記ケース体に取付けられ、回転部材に前記羽根車が固定された流体動圧軸受を用いたモータとからなる送風機において、前記羽根車を固定するモータの回転部材を、該羽根車と一体形成したことを特徴とする送風機。
【請求項２】
上部に空気導入口が形成され、周壁に排出口が形成された羽根車収納室を有するケース体と、このケース体の羽根車収納室内に回転可能に取付けられた前記空気導入口より空気を吸引し、前記排出口より排出することができる羽根車と、前記ケース体に取付けられ、回転部材に前記羽根車が固定された流体動圧軸受を用いたモータとからなる送風機において、前記モータの回転部材であるスリーブに固定されるハブを前記羽根車のボス部となるように一体形成したことを特徴とする送風機。
【請求項３】
上部に空気導入口が形成され、周壁に排出口が形成された羽根車収納室を有するケース体と、このケース体の羽根車収納室内に回転可能に取付けられた前記空気導入口より空気を吸引し、前記排出口より排出することができる羽根車と、前記ケース体に取付けられ、回転部材に前記羽根車が固定された流体動圧軸受を用いたモータとからなる送風機において、前記モータの回転部材であるスリーブとハブとを一体形成するとともに、該ハブを前記羽根車のボス部となるように一体形成したことを特徴とする送風機。
【発明の詳細な説明】
【技術分野】
【０００１】
本発明はシロッコファンやターボブロワーと称される送風機に関する。
【背景技術】
【０００２】
従来のこの種の送風機は、上部に空気導入口が形成され、周壁に排出口が形成された羽根車収納室を有するケース体と、このケース体の羽根車収納室内に回転可能に取付けられた前記空気導入口より空気を吸引し、前記排出口より排出することができる羽根車と、前記ケース体に取付けられ、回転部材に前記羽根車のボス部を嵌合固定するモータとで構成されている。
【０００３】
このため、モータの回転部材であるスリーブに嵌合固定されるハブと、羽根車のモータのハブに嵌合固定されるボス部とが別体に形成されているため、部品点数が多く、組み立てに手数がかかるという欠点があるとともに、モータの発熱もこもりやすく、稼動に制限を受けるという欠点があった。
【特許文献１】特になし
【発明の開示】
【発明が解決しようとする課題】
【０００４】
本発明は以上のような従来の欠点に鑑み、部品点数が少なく、効率よく組み立てることができるとともに、モータの発熱を効率よく放熱することができる、安価に製造することができる送風機を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は上部に空気導入口が形成され、周壁に排出口が形成された羽根車収納室を有するケース体と、このケース体の羽根車収納室内に回転可能に取付けられた前記空気導入口より空気を吸引し、前記排出口より排出することができる羽根車と、前記ケース体に取付けられ、回転部材に前記羽根車が固定された流体動圧軸受を用いたモータとからなる送風機において、前記羽根車を固定するモータの回転部材を、該羽根車と一体形成して送風機を構成している。
【発明の効果】
【０００７】
以上の説明から明らかなように、本発明にあっては次に列挙する効果が得られる。
【０００８】
（１）送風機において、羽根車を固定するモータの回転部材を、該羽根車と一体
形成したので、部品点数が少なく、容易に組み立てることができる。
したがって、コストの低減を図ることができる。
【０００９】
（２）前記（１）によって、モータの回転部材と羽根車とを一体形成しているので、モータの発熱を回転部材より羽根車へ伝導させて、効率よく放熱することができる。
したがって、モータを効率よく駆動させることができる。
【００１０】
（３）前記（１）によって、モータの回転部材と羽根車とを一体形成しているので、モータの回転部材と羽根車とを高寸法精度に加工することができる。
したがって、寸法誤差による組み立て不良を効率よく阻止することができる。
【００１１】
（４）請求項２、３も前記（１）〜（３）と同様な効果が得られる。
【発明を実施するための最良の形態】
【００１２】
以下、図面に示す本発明を実施するための最良の形態により、本発明を詳細に説明する。
【００１３】
図１ないし図７に示す本発明を実施するための最良の第１の形態において、１は本発明の送風機で、この送風機１は上部に空気導入口２が形成され、周壁に排出口３が形成された羽根車収納室４を有するケース体５と、このケース体５の上部を覆うように複数本のビス６で固定された空気吸引口７が形成されたカバー体８と、前記ケース体５の羽根車収納室４内に回転可能に取付けられた前記空気導入口２より空気を吸引し、前記排出口３より高圧にして排出することができる羽根車９と、この羽根車９を高速で回転できるように前記ケース体５に取付けられたモータ１０と、前記羽根車収納室４の排出口３近傍に組み込まれた、該部位の圧力を測定するための圧力センサ１３とで構成されている。
【００１４】
前記ケース体５はベース板１４と、このベース板１４に複数本のビス１５で固定された前記モータ１０の外周部および前記羽根車９の下部を覆うモータ挿入筒１６、前記羽根車収納室４の下部羽根車収納壁１７、前記排出口３の一部が形成された周壁１８が形成され、前記ベース板１４との間に密封の下部室１９を形成する下部ケース２０と、この下部ケース２０の上部に複数本のビス２１で固定される中央部に空気導入口２および上部バルブ部２２の上部バルブ凹部２３が形成され前記羽根車９の上部を覆い、前記羽根車収納室４の上部羽根車収納壁２４、前記排出口３の一部が形成された周壁２５、前記カバー体８で上部を覆うように複数本のビス６で取付けられる取付部２６が形成された上部ケース２７とで構成されている。
【００１５】
前記モータ１０は図４および図５に示すように、前記ケース体５のベース板１４の上面に複数本のビス２８で固定されたモータ駆動回路（図示せず）が設けられた基板２９と、この基盤２９を取付ける複数本のビス２８で前記ベース板１４に固定されるベースプレート３０と、このベースプレート３０に下端部が固定され、上部が前記基板２９上へ突出するシャフト１２と、このシャフト１２の外周部に回転可能に配置されたスリーブ１１と、このスリーブ１１の外周部に位置するように前記基板２９に取付けられたコイル３１と、前記スリーブ１１の上部に固定された前記シャフト１２の上部を覆う熱伝導率のよい材質で形成されたハブ３３と、このハブ３３に取付けられた前記スリーブ１１と前記コイル３１との間に位置するバックヨーク３４と、前記ハブ３３の外周部に取付けられた内壁面にロータマグネット３５が取付けられたヨーク３６と、前記シャフト１２の上部位置のハブ３３に形成された凹部３７に固定されたアウタマグネット３８と、このアウタマグネット３８内に位置するように、前記シャフト１２の上端部に固定されたインナマグネット３９とで構成されている。
【００１６】
前記羽根車９は図６および図７に示すように、前記モータ１０の回転部材としてのハブ３３に一体形成された順次外側下方へ傾斜する羽根支持板４１と、この羽根支持板４１の上面に一体形成された、高さ寸法が順次外側が小さくなるように弧状に形成された多数個の羽根板４２と、この多数個の羽根板４２の上部を覆うように一体形成された中央端部に上バルブ片４３を有する上部カバー板４４と、前記羽根支持板４１に下方へ突出するように一体形成された、前記モータ１０のヨーク３６の外周部と前記ケース体５の下部ケース２０のモータ挿入筒１６のモータ挿入孔４５との間に挿入されるモータカバー筒４６とで構成されている。
【００１７】
前記圧力センサ１３は前記羽根車収納室４の排出口３近傍の、前記下部ケース２０に形成されたセンサ挿入孔４８に圧力を検出できるように挿入固定されるとともに、前記基板２９に組み込んだものが使用されている。
【００１８】
上記構成の送風機１は、モータ１０を駆動させると羽根車９が高速回転し、カバー体８の空気吸引口７およびケース体５の空気導入口２より空気を羽根車９の多数個の羽根板４２内へ吸引し、圧力を高めて排出口３より排出される。
この時、モータ１０のハブ３３と羽根車９の羽根支持板４１とが一体形成されているため、モータ１０の発熱はハブ３３を介して羽根支持板４１へ伝わり、該羽根支持板４１と一体形成された多数個の羽根板４３を通過する空気によって効率よく冷却でき、小型で大風量で高圧の送風で排出することができる。
排出口３より排出される圧力が高められた空気は、基板２９に設けられた圧力センサ１３で検出することができ、該圧力センサ１３での圧力の検出とモータ１０の駆動状態の制御で、製品自体の圧力である流量を所定値に設定する等の制御を行なうことができるとともに、モータ１０用電源で圧力センサ１３を作動させることができる。
[発明を実施するための異なる形態]
【００１９】
次に、図８ないし図１３に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００２０】
図８ないし図１０に示す本発明を実施するための第２の形態において、前記本発明を実施するための最良の第１の形態と主に異なる点は、羽根車９の羽根支持板４１とモータ１０Ａのハブ３３およびスリーブ１１Ａとを一体形成した点で、このように構成した送風機１Ａにしても、前記本発明を実施するための最良の第１の形態と同様な作用効果が得られるとともに、スリーブ１１Ａも羽根車９と一体形成されているため、より部品点数の削減と放熱効果が得られる。
【００２１】
図１１ないし図１３に示す本発明を実施するための第３の形態において、前記本発明を実施するための最良の第１の形態と主に異なる点は、スリーブ１１Ｂをベース板１４に固定し、シャフト１２Ａをスリーブ１１Ｂに回転可能に取付け、該シャフト１２Ａの上端部にハブ３３Ａを嵌合固定したモータ１０Ａを用いた点で、このようなモータ１０Ａを用いて構成した送風機１Ｂにしても、前記本発明を実施するための最良の第１の形態と同様な作用効果が得られる。
【００２２】
なお、前記本発明を実施するための各形態では圧力センサ１３を用いるものについて説明したが、本発明はこれに限らず、圧力センサチップを用いたり、圧力センサを設置しない送風機であってもよい。
【産業上の利用可能性】
【００２３】
本発明は送風機を製造する産業で利用される。
【図面の簡単な説明】
【００２４】
【図１】本発明を実施するための最良の第１の形態の正面図。
【図２】本発明を実施するための最良の第１の形態の平面図。
【図３】図２の３−３線に沿う拡大断面図。
【図４】本発明を実施するための最良の第１の形態のモータの断面図。
【図５】本発明を実施するための最良の第１の形態の要部拡大説明図。
【図６】本発明を実施するための最良の第１の形態の羽根車の平面図。
【図７】図６の７−７線に沿う断面図。
【図８】本発明を実施するための第２の形態の平面図。
【図９】図８の９−９線に沿う断面図。
【図１０】本発明を実施するための第２の形態の要部拡大説明図。
【図１１】本発明を実施するための第３の形態の平面図。
【図１２】図１１の１２−１２線に沿う断面図。
【図１３】本発明を実施するための第３の形態の要部拡大説明図。
【符号の説明】
【００２５】
１、１Ａ、１Ｂ：送風機、      ２：空気導入口、
３：排出口、                  ４：羽根車収納室、
５：ケース体、                ６：ビス、
７：空気吸引口、              ８：カバー体、
９：羽根車、                  １０、１０Ａ：モータ、
１１、１１Ａ、１１Ｂ：スリーブ、
１２、１２Ａ：シャフト、      １３：圧力センサ、
１４：ベース板、              １５：ビス、
１６：モータ挿入筒、          １７：下部羽根車収納壁、
１８：周壁、                  １９：下部室、
２０：下部ケース、            ２１：ビス、
２２：上部バルブ部、          ２３：上部バルブ凹部、
２４：上部羽根車収納壁、      ２５：周壁、
２６：取付部、                ２７：上部ケース、
２８：ビス、                  ２９：基板、
３０：ベースプレート、        ３１：コイル、
３３、３３Ａ：ハブ、          ３４：バックヨーク、
３５：ロータマグネット、      ３６：ヨーク、
３７：凹部、                  ３８：アウタマグネット、
３９：インナマグネット、      ４１：羽根支持板、
４２：羽根板、                ４３：上バルブ片、
４４：上部カバー板、          ４５：モータ挿入孔、
４６：モータカバー筒、        ４８：センサ挿入孔。
【図１】
2007154754.tif 000003
【図２】
2007154754.tif 000004
【図３】
2007154754.tif 000005
【図４】
2007154754.tif 000006
【図５】
2007154754.tif 000007
【図６】
2007154754.tif 000008
【図７】
2007154754.tif 000009
【図８】
2007154754.tif 000010
【図９】
2007154754.tif 000011
【図１０】
2007154754.tif 000012
【図１１】
2007154754.tif 000013
【図１２】
2007154754.tif 000014
【図１３】
2007154754.tif 000015